(57)【要約】      （修正有）【課題】デザインパネルの装着により秘匿コンテンツ又は使用者設定コンテンツの何れかの読出しと設定を可能とし、当該デザインパネルに対応する待受画面やメニュー画面等への切替えを可能としたデザインの変更可能な携帯電話端末又はデザインの変更方法を提供する。【解決手段】記憶部にデザインパネル７，８の種類別に、装着時にのみ読出し可能な秘匿コンテンツ又は使用者により入力された使用者設定コンテンツの何れを使用するかを特定するコンテンツ特定情報と、前記デザインパネルに対応する少なくとも待受画面又はメニュー画面のコンテンツを含む表からなるデザインパネル情報テーブルと、前記秘匿コンテンツ又は使用者設定コンテンツのデータとを記憶する。制御部は装着されたデザインパネルの種類を検出し、前記デザインパネル情報テーブルを参照し、前記コンテンツ特定情報及びコンテンツ表で特定されたデータを読出し、表示部３に表示する。【選択図】図１
2008042824.tif 000002
【特許請求の範囲】
【請求項１】
筺体外面にデザインを施したデザインパネルを装着することによりデザインを変更可能な携帯電話端末において、
キー操作部と、表示部と、デザインパネルの種類別に、デザインパネルの装着時にのみ読み出し可能な秘匿コンテンツ又は使用者により入力された使用者設定コンテンツの何れを使用するかを特定するコンテンツ特定情報と、前記デザインパネルに対応する少なくとも待受画面又はメニュー画面のコンテンツを含むコンテンツ表からなるデザインパネル情報テーブルと、前記秘匿コンテンツ又は使用者設定コンテンツのコンテンツデータとを記憶する記憶部と、装着されたデザインパネルの種類を検出し、検出したデザインパネルの種類に基づいて前記デザインパネル情報テーブルを参照し、前記コンテンツ特定情報及びコンテンツ表で特定されたコンテンツデータを読み出し、少なくとも前記表示部に設定する制御を行う制御部とを備えることを特徴とするデザインを変更可能な携帯電話端末。
【請求項２】
前記記憶部には、前記デザインパネルの装着時にコンテンツを切り換えるか否かを示すコンテンツ切替情報が記憶され、前記制御部はデザインパネルの装着時に前記コンテンツ切換情報に基づいて前記表示部への前記設定を制御することを特徴とする請求項１記載のデザインを変更可能な携帯電話端末。
【請求項３】
前記コンテンツ表にはメロディのコンテンツを含み、前記制御部は着信時に前記デザインパネル情報テーブルを参照し、前記メロディのコンテンツにより着信を報知する制御を行うことを特徴とする請求項１又は２記載のデザインを変更可能な携帯電話端末。
【請求項４】
前記コンテンツ特定情報は、前記デザインパネルの装着状態で使用者による前記キー操作部の操作により変更可能であることを特徴とする請求項１、２又は３記載のデザインを変更可能な携帯電話端末。
【請求項５】
前記使用者設定コンテンツは、前記デザインパネルの装着状態で使用者による前記キー操作部の操作により設定可能であることを特徴とする請求項１ないし４の何れかの請求項記載のデザインを変更可能な携帯電話端末。
【請求項６】
前記デザインパネルは固有の抵抗値の抵抗を備え、前記制御部は、デザインパネルの装着時にデザインパネルの抵抗に対し検出用電圧を出力し、該抵抗の電圧降下により、当該抵抗の抵抗値を検出してデザインパネルの種類を検出した後、前記電圧出力を停止する制御を行うことを特徴とする請求項１ないし５の何れかの請求項記載のデザインを変更可能な携帯電話端末。
【請求項７】
筺体外面にデザインを施したデザインパネルを装着することによりデザインを変更可能とする携帯電話端末のデザイン変更方法において、
デザインパネルの種類別に、デザインパネルの装着時にのみ読み出し可能な秘匿コンテンツ又は使用者により入力された使用者設定コンテンツの何れを使用するかを特定するコンテンツ特定情報と、前記デザインパネルに対応する少なくとも待受画面又はメニュー画面のコンテンツを含むコンテンツ表からなるデザインパネル情報テーブルと、前記秘匿コンテンツ又は使用者設定コンテンツのコンテンツデータとを記憶部に記憶し、装着されたデザインパネルの種類を検出し、検出したデザインパネルの種類に基づいて前記デザインパネル情報テーブルを参照し、前記コンテンツ特定情報及びコンテンツ表で特定されたコンテンツデータを読み出し、少なくとも表示部に設定することを特徴とする携帯電話端末のデザイン変更方法。
【請求項８】
前記記憶部に、前記デザインパネルの装着時にコンテンツを切り換えるか否かを示すコンテンツ切替情報を記憶し、前記デザインパネルの装着時に前記コンテンツ切換情報に基づいて前記表示部への前記設定を制御することを特徴とする請求項７記載の携帯電話端末のデザイン変更方法。
【請求項９】
前記コンテンツ表にはメロディのコンテンツを含み、前記制御部は着信時に前記デザインパネル情報テーブルを参照し、前記メロディのコンテンツにより着信を報知する制御を行うことを特徴とする請求項７又は８記載の携帯電話端末のデザイン変更方法。
【請求項１０】
前記コンテンツ特定情報は、前記デザインパネルの装着状態で使用者により変更可能であることを特徴とする請求項７、８又は９記載の携帯電話端末のデザイン変更方法。
【請求項１１】
前記使用者設定コンテンツは、前記デザインパネルの装着状態で使用者により設定可能であることを特徴とする請求項７ないし１０の何れかの請求項記載の携帯電話端末のデザイン変更方法。
【発明の詳細な説明】
【技術分野】
【０００１】
本発明は携帯電話端末に関し、特に外観及び表示等のデザインの変更を可能としたデザインを変更可能な携帯電話端末及び携帯電話端末のデザイン変更方法に関する。
【背景技術】
【０００２】
昨今の携帯電話端末では、デザイン性が極めて高く重視される傾向にある。使用場面（シーン）や気分等に合わせて好みのグラフィックやイラストなどを簡単に付け替えてコーディネート出来る、「着せ替えパネル」（「カスタムジャケット」、「スタイルプラス」等の製品もある）（以下「デザインパネル」という）を着脱可能な携帯電話端末が増加してきており、売りの一つともなっている。
【０００３】
デザインパネルに合わせて専用のコンテンツ（待受画面やメニュー画面、アイコン等）を設定出来るサービスも始まっているが、現状の設定方法では、使用者がデザインパネルのパッケージに付与されているＱＲコードをカメラ撮影により読み取るとデザインパネルのカラーに合ったテーマのコンテンツが各種画面へ設定されるものである。
【０００４】
また、携帯電話端末に備えられた所望の機能を簡単に設定することを可能とするとともに、現在の設定動作モード等の機能を外観により即座に認識することができる携帯端末装置として、パネルの外観表面にそのパネルに割り当てられた機能を表わすアイコン表示がされるとともに、当該パネルを携帯端末装置に装着することにより前記表示された機能が当該携帯端末装置に設定される携帯端末装置が提案されている（特許文献１参照）。
【特許文献１】特開２００４−２２１８６０号公報
【発明の開示】
【発明が解決しようとする課題】
【０００５】
デザインパネルを装着可能な携帯電話端末は、端末の外観と異なる外観のパネルの着せ替えによりデザインの変更を行うものであり、着せ替えとともに専用の画像コンテンツにより待受画面等を変更するサービスも使用者に受けている。
【０００６】
しかし、着せ替えとともに待受画面等も変更するサービスは、デザインパネルのパッケージ等に付与されているＱＲコードを携帯電話端末によるカメラ撮影により読み取り、当該パネルに相応しいコンテンツを表示画面へ設定するというような手間の掛かる操作を必要とするものであった。また、このサービスは撮影画像の使用時にはカメラを必要とするから、この機能を可能とするのはカメラ付き携帯電話端末のみに限られる。
【０００７】
また、表面に機能の設定内容が描かれたパネルの取り付けにより、その機能を設定できる携帯端末装置は、例えば着信メロディの内容の表示やマナモードの内容の表示のあるパネルで、機能を変更しようとするものであり、装着したパネルでデザインの変更を行うものではないだけでなく、パネルによるデザインの変更に併せて表示画面のデザイン等をも変更することは想定していない。
【０００８】
本発明の目的は、デザインパネルの装着に併せて当該デザインパネルに対応する待受画面やメニュー画面等への切り替えを自動的に可能とし、全体的にデザインを変更可能な携帯電話端末及び携帯電話端末のデザイン変更方法を提供するものである。
【０００９】
本発明の他の目的は、デザインパネルの装着により秘匿されたコンテンツ又は使用者の設定したコンテンツの自動的な読み出しと設定を可能とし、使用者の設定操作を一切不要として利便性を向上した、デザインを変更可能な携帯電話端末及び携帯電話端末のデザイン変更方法を提供するものである。
【００１０】
本発明の他の目的は、デザインパネルの装着により秘匿されたコンテンツ又は使用者の設定によるコンテンツによる画像等の切り替えを可能とし、必ずしもカメラ機能を必要としない、デザインを変更可能な携帯電話端末及び携帯電話端末のデザイン変更方法を提供するものである。
【課題を解決するための手段】
【００１１】
本発明のデザインを変更可能な携帯電話端末は、筺体外面にデザインを施したデザインパネルを装着することによりデザインを変更可能な携帯電話端末において、キー操作部と、表示部と、デザインパネルの種類別に、デザインパネルの装着時にのみ読み出し可能な秘匿コンテンツ又は使用者により入力された使用者設定コンテンツの何れを使用するかを特定するコンテンツ特定情報と、前記デザインパネルに対応する少なくとも待受画面又はメニュー画面のコンテンツを含むコンテンツ表からなるデザインパネル情報テーブルと、前記秘匿コンテンツ又は使用者設定コンテンツのコンテンツデータとを記憶する記憶部と、装着されたデザインパネルの種類を検出し、検出したデザインパネルの種類に基づいて前記デザインパネル情報テーブルを参照し、前記コンテンツ特定情報及びコンテンツ表で特定されたコンテンツデータを読み出し、少なくとも前記表示部に設定する制御を行う制御部とを備え、前記記憶部には、前記デザインパネルの装着時にコンテンツを切り換えるか否かを示すコンテンツ切替情報が記憶され、前記制御部はデザインパネルの装着時に前記コンテンツ切換情報に基づいて前記表示部への前記設定を制御することを特徴とし、前記コンテンツ表にはメロディのコンテンツを含み、前記制御部は着信時に前記デザインパネル情報テーブルを参照し、前記メロディのコンテンツにより着信を報知する制御を行うことを特徴とする。
【００１２】
本発明の携帯電話端末のデザイン変更方法は、筺体外面にデザインを施したデザインパネルを装着することによりデザインを変更可能とする携帯電話端末のデザイン変更方法において、デザインパネルの種類別に、デザインパネルの装着時にのみ読み出し可能な秘匿コンテンツ又は使用者により入力された使用者設定コンテンツの何れを使用するかを特定するコンテンツ特定情報と、前記デザインパネルに対応する少なくとも待受画面又はメニュー画面のコンテンツを含むコンテンツ表からなるデザインパネル情報テーブルと、前記秘匿コンテンツ又は使用者設定コンテンツのコンテンツデータとを記憶部に記憶し、装着されたデザインパネルの種類を検出し、検出したデザインパネルの種類に基づいて前記デザインパネル情報テーブルを参照し、前記コンテンツ特定情報及びコンテンツ表で特定されたコンテンツデータを読み出し、少なくとも表示部に設定すること、前記記憶部に、前記デザインパネルの装着時にコンテンツを切り換えるか否かを示すコンテンツ切替情報を記憶し、前記デザインパネルの装着時に前記コンテンツ切換情報に基づいて前記表示部への前記設定を制御することを特徴とし、前記コンテンツ表にはメロディのコンテンツを含み、前記制御部は着信時に前記デザインパネル情報テーブルを参照し、前記メロディのコンテンツにより着信を報知する制御を行うことを特徴とする。
【００１３】
また、前記コンテンツ特定情報は、前記デザインパネルの装着状態で使用者により変更可能であることを特徴とし、又は前記使用者設定コンテンツは、前記デザインパネルの装着状態で使用者により設定可能であることを特徴とする。
【発明の効果】
【００１４】
本発明によれば、デザインパネルを装着した際に、携帯電話端末がその種類を検知しコンテンツ設定を行うことにより、当該デザインパネルに対応する待受画面やメニュー画面、アイコン等の専用コンテンツへの切り替えが自動的になされる為、使用者の設定操作が一切不要となり利便性を向上させることが可能である。
【００１５】
また、デザインパネル毎に、秘匿コンテンツに加えて、使用者によるダウンロードしたコンテンツやカメラ撮影した画像等を設定可能とし、何れを設定するかのコンテンツ特定情報とともに記憶部に保存することにより、デザインパネルの取替えにより、秘匿コンテンツ又は使用者設定コンテンツの何れかに自動変更でき、使用者の趣味／嗜好に応じた要求を満たすことが可能である。
【００１６】
例えば、使用者がデザインパネルの変更時に自分で設定したコンテンツへの切り替えを選択すれば、使用者の趣味／嗜好に応じたデザインパネルで、好みのコンテンツに自動切り替えが成されることになり、より使用者の要求を満たすことが可能である。
【発明を実施するための最良の形態】
【００１７】
（構成の説明）
本発明の携帯電話端末の一実施の形態として、折り畳み型携帯電話機への適用例により以下詳細に説明する。  
図１は本実施の形態の携帯電話機とデザインパネルを示す外観図である。
【００１８】
携帯電話機１は、筺体の前面に使用者が各種の入力及び各種の機能設定等を行うキー操作部２と、各種の設定画面、日時、画像等の各種コンテンツを表示する液晶表示部３とが設けられている。また、筺体の背面に着信報知やメロディ鳴動等を行うスピ−カ４の音孔と、シーンや気分に合わせて好みのグラフィックやイラストなどを簡単に付け替えてコーディネート出来るデザインパネルを装着する携帯電話機背面側等のデザインパネル装着部５とが配備されている。
【００１９】
デザインパネルは表面に各種の異なるデザインを施された長方形等のデザインパネルＡ７、Ｎ８でなり、各デザインパネルはその１つの短辺の両端に爪状（突起状）の電極６ｂを備え、デザインパネル装着部５は、前記長方形等の形状に対応する形状の凹部でなり、長方形等の１つの短辺の両端にデザインパネルの装着時にその爪状の電極６ｂが挿入される爪嵌合部６ａを備え、デザインパネルの電極６ｂがデザインパネル装着部５の爪勘合部６ａに接続される構造を有し、デザインパネルは着脱自在で交換可能に構成されている。
【００２０】
図２は携帯電話機の内部機能を示すブロック図である。本携帯電話機１は、キー操作部２、液晶表示部３、スピーカ４に加え、各種のプログラム及びデータを格納するメモリ等でなる記憶部９、記憶部９に記憶されたプログラムを読み込み、読み込んだプログラムにより制御され、デザインパネル７、８の装着の検出、記憶部９の制御、コンテンツ設定、表示及び着信報知等を制御する制御部１０を備える。
【００２１】
ここで、記憶部９には、コンテンツ切替えを自動設定するか否か等の情報であるコンテンツ切替情報の格納領域と、使用者によるデザインパネルの装着以外の方法では読み出すことができないように製造元でインストールされたコンテンツデータ（「秘匿コンテンツ」という）であって、デザインパネル毎に当該デザインパネル装着時に読み出し可能で設定可能な待受画面、メニュー画面、着信メロディ等の秘匿コンテンツの格納領域と、使用者が適宜使用可能であるコンテンツであり待受画面、メニュー画面、着信メロディ等に設定可能なコンテンツデータ（「使用者設定コンテンツ」という）の格納領域と、デザインパネル装着時の当該デザインパネルの種類検出用テーブルと対応コンテンツ表でなるデザインパネル情報テーブルの格納領域と、が設けられている。
【００２２】
制御部１０は、携帯電話機としての発着信、通信制御、通話等の各種の機能に加え、デザインパネル検出部１１を備え、デザインパネルの着脱時に該デザインパネルの着脱を検出し、装着時にデザインパネルの種類を検出し、記憶部９の記憶内容を参照し、必要なコンテンツを読み出し液晶表示部３への表示制御を行う機能を有する。例えば、デザインパネルが装着時に記憶部９のコンテンツ切替情報を参照して自動切替の設定がされている場合に、デザインパネル情報テーブルを参照し、コンテンツ表に基づき秘匿コンテンツ又は使用者設定コンテンツを読出して液晶表示部３に表示する等の制御機能を有する。
【００２３】
次に、本実施の形態のより具体的構成及び機能を以下詳細に説明する。  
図３はデザインパネルの装着機構の構造と電気回路を示す図である。例えばデザインパネルＡ７は、外部表面に使用者の好みのデザインやキャラクター、デザイナーモデルといった模様が描かれており、パネル内部には固有の抵抗値を有する抵抗Ｒａを内蔵し、該抵抗Ｒａの各端子が２個の電極６ｂ間に接続されている。なお、抵抗Ｒａは通常の固定チップ部品をモールドにより埋め込んで形成したり、ある抵抗材料をモールドに塗装・印刷することにより実現可能である。一方、デザインパネル装着部５の爪嵌合部６ａは携帯電話機１内の基板１２に固定されたバネ状の導電性金具であって、デザインパネル検出部１１のＶｉｎ端子との間に抵抗Ｒ１が接続されるとともにＶｏｕｔ端子と直接接続されたＶｏｕｔ端子部１３と、同ｉ／ｏポートと接続されたＧＮＤ端子部１４を備える。ここでデザインパネルが装着されると２つの電極６ｂが端子部１３、１４とそれぞれ接続されるとともに基板側の電極（ランドＮＣ、ＳＷ１）とも電気的に接続される。
【００２４】
まず、デザインパネルの装着の有無の検出に関して説明する。デザインパネルＡ７の未装着状態では、制御部１０のｉ／ｏポートは図示しないプルアップ抵抗等により論理レベルが「Ｈ」に設定されているが、デザインパネルＡ７の装着時には、ＧＮＤ端子部１４がデザインパネルＡ７の導電端子で押され基板１２のＧＮＤ（ＳＷ１）に接続され、ｉ／ｏポートの論理レベルが「Ｈ」から「Ｌ」へ切り替わる。この論理レベルの変化を制御部１０内部のデザインパネル検出部１１がモニタし、携帯電話機１でデザインパネルの装着の有無が検出される。
【００２５】
次に、デザインパネルの種類の検出に関して説明する。デザインパネル検出部１１がデザインパネル７の装着を検出すると、基板１２に実装された抵抗Ｒ１のＶｉｎ端子に電圧Ｖｉｎを出力する。出力された電圧Ｖｉｎは抵抗Ｒ１とデザインパネルＡ７に内蔵された抵抗Ｒａで分圧され、分圧電圧ＶｏｕｔがＶｏｕｔ端子からデザインパネル検出部１１へ入力される。デザインパネル検出部１１は、記憶部９に保存されているデザインパネル情報テーブルを参照することによりＶｏｕｔ端子の電圧レベルによりデザインパネルの種類の判別を行う。なお、デザインパネル内蔵の抵抗の抵抗値はデザインパネルの種類別に固有の値として識別を可能としている。
【００２６】
デザインパネル検出部１１がデザインパネルの装着を検出すると、制御部１０は記憶部９に保存されている自動切り替え設定ＯＮ／ＯＦＦの情報を格納したコンテンツ切替情報を確認し、ＯＮ設定がなされている場合にはデザインパネルの種類の検出を実行し、当該デザインパネルに対応する専用の秘匿コンテンツへ自動切り替えを実行する。ここでデザインパネル検出部１１は、デザインパネル装着の有無を検出するｉ／ｏ信号の論理が「Ｌ」に変化してからＶｉｎを出力し、制御部１０によるデザインパネルの種類に対応する専用の秘匿コンテンツへ切り替え完了したらＶｉｎの出力を停止させる。つまり、デザインパネルの装着時にデザインパネルの抵抗に対し検出用電圧を出力し、該抵抗の電圧降下によりその抵抗値を検出すると前記電圧出力を停止することにより、常に不要な電流が流れ続けることを防止し低消費電力化を図るように構成されている。
【００２７】
図４は記憶部に格納されたデザインパネル情報テーブルの内容を示す図である。デザインパネル情報テーブルは、Ｖｏｕｔ電圧範囲とデザインパネル（Ａ、Ｂ、Ｃ、…）との対応関係からなる種類検出用テーブルと、各デザインパネルと表示画像等のコンテンツ（待受画面、メニュー画面、アイコン、メロディ等）との対応表から構成されている。
【００２８】
本実施の形態では、デザインパネル毎のコンテンツ表として、デザインパネル装着時のみ読み出し可能な秘匿コンテンツの特定情報（上段のコンテンツ名）の記憶領域と、使用者自ら撮影したりダウンロードして入力可能な使用者設定コンテンツの特定情報（下段のコンテンツ名）の記憶領域とを含み、更に、後者の使用者設定コンテンツの書き込みの有無を示す情報であるコンテンツ設定情報と、デザインパネル装着時に自動切替する対象コンテンツを特定するコンテンツ特定情報の２ビット情報（１ビット目の１、０はコンテンツ設定の有無、２ビット目の１、０はコンテンツ特定）をも含んでいる。各デザインパネルに対応する秘匿コンテンツは、使用者がキー操作等では読み出せない秘匿情報として予め携帯電話機１内部の記憶部９に保存されている。
（動作の説明）
本実施の形態の動作を図５、６、７に示す処理フローチャートに基づいて説明する。
【００２９】
図５はコンテンツ切替機能の設定のフローチャートを示す図である。デザインパネルの装着時に当該デザインパネルに対応する待受画面やメニュー画面、アイコン等の表示画像、着信メロディ等を記録されたコンテンツに自動切り替えを行うか否かを設定する処理動作のフローチャートである。使用者がキー操作部２を操作してコンテンツ切替機能の設定画面を表示させ（Ｓ１１）、自動切り替えＮＯ操作を行うと（Ｓ１２）、制御部１０はデザインパネル装着時にコンテンツ切替をする旨の情報を記憶部９のコンテンツ切替情報として記憶する（Ｓ１３）。また、ステップＳ１２で自動切り替えＯＦＦ操作を行った場合には、デザインパネル装着時にもコンテンツ切替をしない旨の情報を記憶部９のコンテンツ切替情報として記憶する（Ｓ１４）。
【００３０】
図６は携帯電話機にデザインパネルを装着した場合の処理動作のフローチャートを示す図である。使用者が携帯電話機１の使用場面や気分により好みのデザインパネルＡを装着したとすると（ステップＳ２１）、デザインパネルＡの電極６ｂが携帯電話機１の爪勘合部６ａの導電性金具の端子ＳＷ１を介して回路側へ接続され、この接続により制御部１０のｉ／ｏポート論理が変化し、デザインパネル検出部１１はデザインパネルの装着を検知する（ステップＳ２２）。制御部１０はデザインパネルの装着検知により記憶部９のコンテンツ切替情報を参照し、自動切り替えＯＮ設定の場合には（ステップＳ２３）、デザインパネル検出部１１が電圧Ｖｉｎを出力し（ステップＳ２４）、基板１２に実装されている抵抗Ｒ１とデザインパネルに内蔵されている抵抗Ｒａにより分圧された電圧Ｖｏｕｔがデザインパネル検出部１１に入力され（ステップＳ２５）、デザインパネル情報テーブルを参照し、電圧Ｖｏｕｔがデザインパネルの種類を判別する（ステップＳ２６）。
【００３１】
制御部１０は検出したデザインパネルに対応する対応コンテンツに関し、コンデンサ特定情報を参照して自動的に切り替えるコンテンツが秘匿コンテンツか使用者設定コンテンツかを判断し（ステップＳ２７）、コンテンツ特定情報が「１」の場合は秘匿コンテンツのコンテンツ表に基づいて自動的に切り替え（ステップＳ２８）、「０」の場合は使用者設定コンテンツのコンテンツ表に基づいて自動的に切り替える（ステップＳ２９）。
【００３２】
コンテンツ切り替え後はＶｉｎ出力をＯＦＦ状態とし（ステップＳ３０）、その後、当該デザインパネルが取り外されると（ステップＳ３１）、デザインパネル検出部１１はＳＷ１の動作によりこの取り外しを検知するが、Ｖｉｎ出力はＯＦＦ状態を継続し電力消費を軽減するとともに、次回の装着までデザインパネル検出部１１の動作もＯＦＦ状態とする（ステップＳ３２）。
【００３３】
また、使用者が予め図５に示す処理フローチャートによりデザインパネル装着時のコンテンツ切替機能をＯＦＦ設定としていれば、制御部１０はステップＳ２２で、デザインパネルの装着を検出してもステップＳ２３によりＶｉｎ出力はＯＦＦ状態とし（ステップＳ３３）、デザインパネルの種類検知及びコンテンツの自動切り替え制御は実行しない。
【００３４】
以上のように本実施の形態では、使用者のキー操作等では読み出せないように記憶部９に保存された、デザインパネルに対応する秘匿コンテンツであり、予め販売元でデザインパネルの種類と対応コンテンツとして関連付けされたもの、又は使用者が予めカメラ撮影やダウンロードといった手段で記憶部９に保存した画像やメロディ等のコンテンツをデザインパネルに関連付けた使用者設定コンテンツの何れかを選択的に自動切り替えが可能であり、使用者のニーズに充分こたえることが可能である。
【００３５】
次に秘匿コンテンツの読み出し及び使用者設定コンテンツの読み出しのため使用者の自由な設定を可能とする処理について以下説明する。
【００３６】
図７は使用者により画像やメロディ等のコンテンツをデザインパネルに関連付けて設定する処理フローチャートを示す図である。
【００３７】
まず、使用者がキー操作部２と液晶表示部３によりコンテンツ設定の変更メニューを起動しコンテンツ設定の変更モードとし（ステップＳ３１）、コンテンツ設定を行いたいデザインパネルを装着する（ステップＳ３２）。制御部１０内部のデザインパネル検出部１１は、装着されたデザインパネルにＶｉｎ電圧を出力し（ステップＳ３３）、Ｖｏｕｔの電圧レベルを検出してデザインパネル情報テーブルを参照し（ステップＳ３４）、Ｖｏｕｔのデザインパネルのコンテンツ設定情報により、使用者が既に使用者設定コンテンツの関連付け設定を実施しているか否かを判断する（ステップＳ３５）。
【００３８】
コンテンツの関連付け設定がされていない場合には、待受画像（チェック１）、メニュー画面（ＮＥＮＵ２）、メロディ（メロディ２）のように画面や着信メロディ名等の各特定情報の選択入力を行い（ステップＳ３６）、図４に示すコンテンツ情報テーブルの対応コンテンツ表の例えばデザインパネルＡに関する下段の様に設定し、コンテンツ設定情報を「１」として記憶部９に保存する（ステップＳ３７）。最後に、そのデザインパネルに対応するコンテンツ切り替えを秘匿コンテンツによる設定とするか、又は使用者設定コンテンツによる設定とするかのコンテンツ特定情報を選択、設定する（ステップＳ３９）。
【００３９】
また、ステップＳ３５で、既にコンテンツの関連付けの設定がされている場合には、上書きによるコンテンツ設定の変更の選択を可能とし（ステップＳ３８、Ｓ３６）、使用者が上書き変更をしない場合には設定キャンセルを可能とし（ステップＳ３８）、この場合もコンテンツ特定情報は必要により新たに設定し直す（ステップＳ３９）。
【００４０】
以上の処理により、デザインパネルの装着による表示画面に表示するコンテンツとして使用者設定コンテンツの追加、及び既に使用者設定コンテンツが設定されたデザインパネルで秘匿コンテンツを使用するか、使用者設定コンテンツを使用するかの変更の設定が可能となる。設定変更後のデザインパネルによるコンテンツの自動切り替え制御は図５、６により実行可能である。
【００４１】
以上の実施の形態により一回のデザインパネルの種類と対応コンテンツの関連付け設定をしておけば、デザインパネルを付け替える度に、自分の設定コンテツへ自動に切り替えられる為に、設定変更する煩わしさも同時に解消される。
【００４２】
また、本実施の形態では使用者設定コンテンツの入力、設定に関し、液晶表示部に予めカメラ撮影したデータ、Ｗｅｂページからダウンロードしたデータ又は携帯電話機に使用可能に保存されたコンテンツデータ等の候補を表示させ、キー操作部により選択して入力し各種設定を行うように構成した例を示すものであるが、デザインパネルの装着時に自動的にコンテンツを提供するポータルサイトのＷｅｂページからダウンロードして入力するように構成することが可能である。この場合携帯電話機がブラウザ機能を装備するとともに、制御部１０はＷｅｂページへのアクセス機能と、Ｗｅｂページからのデータのダウンロード機能を設け、デザインパネル情報テーブルには、デザインパネルの種類毎にＷｅｂページのアドレス情報を格納して、デザインパネルの装着時に自動的に当該Ｗｅｂページに接続して使用者の選択により所望のコンテンツをダウンロード可能に構成する。
【００４３】
また、本発明では少なくとも待受画面又はメニュー画面のコンテンツ、前記コンテンツに加えて着信メロディ等のコンテンツの設定可能とするものであり、更には、デザインパネルの種類によりアイコン、着信報知用等のバイブレータ振動パターン、ＬＥＤ点灯色やグラデーションパターンなど様々なデザインに関連する要素を設定可能である。
【図面の簡単な説明】
【００４４】
【図１】本実施の形態の携帯電話機とデザインパネルを示す外観図である。
【図２】携帯電話機の内部機能を示すブロック図である。
【図３】デザインパネルの装着機構の構造と電気回路を示す図である。
【図４】記憶部に格納されたデザインパネル情報テーブルの内容を示す図である。
【図５】コンテンツ切替機能の設定のフローチャートを示す図である。
【図６】携帯電話機にデザインパネルを装着した場合の処理動作のフローチャートを示す図である。
【図７】使用者により画像やメロディ等のコンテンツをデザインパネルに関連付けて設定する処理フローチャートを示す図である。
【符号の説明】
【００４５】
１  携帯電話機
２  キー操作部
３  液晶表示部
４  スピーカ部
５  デザインパネル装着部
６ａ  爪嵌合部
６Ｂ  電極
７、８  デザインパネル
９  記憶部（メモリ）
１０  制御部
１１  デザインパネル検出部
１２  基板
１３  Ｖｏｕｔ端子部
１４  ＧＮＤ端子部
【図１】
2008042824.tif 000003
【図２】
2008042824.tif 000004
【図３】
2008042824.tif 000005
【図４】
2008042824.tif 000006
【図５】
2008042824.tif 000007
【図６】
2008042824.tif 000008
【図７】
2008042824.tif 000009